(57)【要約】【課題】確実にメモリを保護することができる画像処理装置、メモリ保護方法、プログラム、及び記録媒体を提供する。【解決手段】メモリへのデータの書き込み中に、主電源スイッチへの手の接近を検知するセンサが手の接近を検知すると、メモリへのデータの書き込みを中止することにより、データの書き込み中の主電源スイッチのＯＦＦによるデータ及びメモリの破壊が確実に防止される。すなわち、主電源スイッチをＯＦＦすることができてしまうが、主電源スイッチをＯＦＦしたときにはすでにメモリへの書き込みを終了しているため、問題が発生しない。【選択図】図１
2009093408.tif 000002
【特許請求の範囲】
【請求項１】
主電源スイッチへの手の接近を検知するセンサと、
メモリへのデータの書き込み中に、前記センサが前記手の接近を検知すると、前記メモリへの書き込みを中止する制御手段とを備えたことを特徴とする画像処理装置。
【請求項２】
主電源をＯＮ／ＯＦＦする主電源スイッチと、
前記主電源スイッチへの手の接近を検知するセンサと、
データを記憶するメモリと、
前記メモリへのデータの書き込みを制御する制御手段とを有し、
前記制御手段は、前記データの書き込み中に、前記センサが前記主電源スイッチへの前記手の接近を検知すると、前記データの書き込みを中止するように制御することを特徴とする画像処理装置。
【請求項３】
請求項１または２において、
前記制御手段は、前記センサが前記手の接近を検知して前記データの書き込みを中止した後に前記手の離反を検知すると、前記データの書き込みを再開するように制御することを特徴とする画像処理装置。
【請求項４】
請求項１から３のいずれか１項において、
前記主電源スイッチ及び前記センサは、前記画像処理装置のユーザーがアクセスする面以外の面に実装されていることを特徴とする画像処理装置。
【請求項５】
請求項１から３のいずれか１項において、
前記センサは前記画像処理装置のユーザーがアクセスする面に実装され、前記主電源スイッチは前記画像処理装置のユーザーがアクセスする面以外の面に実装されていることを特徴とする画像処理装置。
【請求項６】
請求項１から５のいずれか１項において、
前記主電源スイッチをＯＦＦしようとしたときにユーザーの手が通る位置に、前記センサが設置されていることを特徴とする画像処理装置。
【請求項７】
請求項１から６のいずれか１項において、
前記センサが前記手の接近を検知してから前記メモリへの書き込みを中止するまでの時間に基づいて、前記主電源スイッチと前記センサとの間の距離が決定されていることを特徴とする画像処理装置。
【請求項８】
請求項１から７のいずれか１項において、
前記センサが検知可能となる距離の閾値を、ユーザーが任意に設定できるようにしたことを特徴とする画像処理装置。
【請求項９】
メモリへのデータの書き込み中に、主電源スイッチへの手の接近を検知すると、前記データの書き込みを中止することを特徴とする画像処理装置のメモリ保護方法。
【請求項１０】
請求項９において、
前記主電源スイッチへの手の接近を検知して前記データの書き込みを中止した後に前記手の離反を検知すると、前記データの書き込みを再開することを特徴とする画像処理装置のメモリ保護方法。
【請求項１１】
コンピュータに、
画像処理装置の主電源をＯＮ／ＯＦＦする主電源スイッチへの手の接近をセンサが検知する処理、
メモリがデータを書き込む処理、
前記メモリによるデータの書き込み中に、前記センサが前記手の接近を検知すると、前記データの書き込みを中止する処理、
を実行させることを特徴とする画像処理装置のメモリ保護プログラム。
【請求項１２】
請求項１１において、
前記コンピュータに、
前記センサが前記主電源スイッチへの手の接近を検知して前記データの書き込みを中止した後、前記センサが前記手の離反を検知すると、前記データの書き込みを再開する処理を実行させることを特徴とする画像処理装置のメモリ保護プログラム。
【請求項１３】
請求項１１または１２に記載のメモリ保護プログラムを記録したことを特徴とする記録媒体。
【発明の詳細な説明】
【技術分野】
【０００１】
本発明は、不揮発性メモリのデータ保護に関し、特に画像処理装置、メモリ保護方法、プログラム、及び記録媒体に関する。
【背景技術】
【０００２】
画像処理装置には処理対象の画像データを記憶するためメモリが用いられている。このメモリに記録されるデータやメモリ自体を保護する技術が特許文献１、２に記載されている。
特許文献１に記載の発明は、電源処理方式の発明であり、制御装置よりインターフェース部を介して所定長の書き込み単位で外部記憶装置にデータの書き込みを指示し、外部記憶装置は指示された所定長のデータを１アクセス単位に分割して記憶ユニットに書き込むシステムにおけるデータ書き込み中に生じる電源断に対する処理方式において、電源断を検出する検出手段と、電源断により制御装置に割込み信号を入力する割込み信号発生手段を設け、制御装置は電源断の割込み信号の発生によりインターフェース部の状態をリセットし、外部記憶装置はインターフェース部のリセット状態を識別して、現在書き込み中の１アクセス単位のデータを記憶ユニットに書き込んでから書き込み動作を終了するものである。
【０００３】
この電源処理方式によれば、ハードディスク等の外部記憶装置へのデータ書き込み中に電源断が発生しても物理セクタを保護し、データの損失を最小限に押さえるものである。
【０００４】
特許文献２に記載の発明は、画像形成装置及び警告方法の発明であり、画像形成装置の主電源をＯＮ／ＯＦＦする主電源スイッチと、ユーザーが主電源スイッチに接触したこと又は接触しようとしていることを検知する検知手段と、主電源スイッチの近傍に貼られた、主電源スイッチを用いて主電源をＯＦＦする主電源スイッチＯＦＦに係る警告情報を表示する警告ラベルと、操作手段と、を有し、主電源スイッチＯＦＦの禁止期間に、検知手段によって、ユーザーが主電源スイッチに接触したこと又は接触しようとしていることを検知すると、操作手段に主電源スイッチＯＦＦによる影響に係る情報を表示するものである。
【０００５】
この特許文献２に記載の発明によれば、主電源スイッチをＯＦＦにしてはいけない禁止期間にユーザーが主電源スイッチをＯＦＦすることを防止すると共に、禁止期間に主電源スイッチをＯＦＦにすることによる影響に係る情報を、ユーザーに提供するものである。
【特許文献１】特開平６−５１８７９号公報
【特許文献２】特開２００６−１９２７８１号公報
【発明の開示】
【発明が解決しようとする課題】
【０００６】
しかしながら、特許文献１に記載の技術では、技術は主電源がＯＦＦされたことを検知してから、書き込みを終了するが、それでは、書き込みを終了するのに十分な時間が確保できないおそれがある。
また、特許文献２に記載の技術では、主電源がＯＦＦ禁止期間中（ＨＤＤアクセス中含む）に、ユーザーが主電源スイッチに接触もしくは接触しようとしたらユーザーに警告するといったものであるが、警告だけではユーザーは主電源スイッチをＯＦＦすることができてしまう。
【０００７】
そこで、本発明の主な目的は、上記課題を解決するため、確実にメモリを保護することができる画像処理装置、メモリ保護方法、プログラム、及び記録媒体を提供することにある。
【０００８】
本発明の副次的な目的を以下に示す。
（１）ユーザーの手が近づいたことを検知したが、結局、主電源がＯＦＦされなかった場合に、書き込みを再開し画像処理装置が通常どおり動作できるようにすること。
【０００９】
（２）ユーザーが主電源をＯＦＦする以外の目的で近づいたときには、通常どおり、不揮発性メモリへの書き込みを実施することができるようにすること。
【００１０】
（３）主電源がＯＦＦされる前に、ユーザーが主電源をＯＦＦしようとしていることを検知することができるようにすること。
【００１１】
（４）ユーザーの手が近づいたことを検知してから、主電源がＯＦＦされるまでの時間を十分確保し、正常に書き込みを終了できるようにすること。
【００１２】
（５）センサの近傍に物を置いたり、壁があったりする場合にも、センサはそれらを検知せずに、手が近づいたことを検知できるようにすること。
【課題を解決するための手段】
【００１３】
上記課題を解決するため、本発明の請求項１に記載の発明は、主電源スイッチへの手の接近を検知するセンサと、メモリへのデータの書き込み中に、前記センサが前記手の接近を検知すると、前記メモリへの書き込みを中止する制御手段とを備えたことを特徴とする。
【００１４】
請求項２に記載の発明は、主電源をＯＮ／ＯＦＦする主電源スイッチと、前記主電源スイッチへの手の接近を検知するセンサと、データを記憶するメモリと、前記メモリへのデータの書き込みを制御する制御手段とを有し、前記制御手段は、前記データの書き込み中に、前記センサが前記主電源スイッチへの前記手の接近を検知すると、前記データの書き込みを中止するように制御することを特徴とする。
【００１５】
請求項３に記載の発明は、請求項１または２において、前記制御手段は、前記センサが前記手の接近を検知して前記データの書き込みを中止した後に前記手の離反を検知すると、前記データの書き込みを再開するように制御することを特徴とする。
【００１６】
請求項４に記載の発明は、請求項１から３のいずれか１項において、前記主電源スイッチ及び前記センサは、前記画像処理装置のユーザーがアクセスする面以外の面に実装されていることを特徴とする。
【００１７】
請求項５に記載の発明は、請求項１から３のいずれか１項において、前記センサは前記画像処理装置のユーザーがアクセスする面に実装され、前記主電源スイッチは前記画像処理装置のユーザーがアクセスする面以外の面に実装されていることを特徴とする。
【００１８】
請求項６に記載の発明は、請求項１から５のいずれか１項において、前記主電源スイッチをＯＦＦしようとしたときにユーザーの手が通る位置に、前記センサが設置されていることを特徴とする。
【００１９】
請求項７に記載の発明は、請求項１から６のいずれか１項において、前記センサが前記手の接近を検知してから前記メモリへの書き込みを中止するまでの時間に基づいて、前記主電源スイッチと前記センサとの間の距離が決定されていることを特徴とする。
【００２０】
請求項８に記載の発明は、請求項１から７のいずれか１項において、前記センサが検知可能となる距離の閾値を、ユーザーが任意に設定できるようにしたことを特徴とする。
【００２１】
請求項９に記載の発明は、メモリへのデータの書き込み中に、主電源スイッチへの手の接近を検知すると、前記データの書き込みを中止することを特徴とする。
【００２２】
請求項１０に記載の発明は、請求項９において、前記主電源スイッチへの手の接近を検知して前記データの書き込みを中止した後に前記手の離反を検知すると、前記データの書き込みを再開することを特徴とする。
【００２３】
請求項１１に記載の発明は、コンピュータに、画像処理装置の主電源をＯＮ／ＯＦＦする主電源スイッチへの手の接近をセンサが検知する処理、メモリがデータを書き込む処理、前記メモリによるデータの書き込み中に、前記センサが前記手の接近を検知すると、前記データの書き込みを中止する処理、を実行させることを特徴とする。
【００２４】
請求項１２に記載の発明は、前記コンピュータに、前記センサが前記主電源スイッチへの手の接近を検知して前記データの書き込みを中止した後、前記センサが前記手の離反を検知すると、前記データの書き込みを再開する処理を実行させることを特徴とする。
【００２５】
請求項１３に記載の発明は、請求項１１または１２に記載のメモリ保護プログラムを記録した記録媒体であることを特徴とする。
【発明の効果】
【００２６】
本発明によれば、メモリへのデータの書き込み中に、主電源スイッチへの手の接近を検知するセンサが手の接近を検知すると、メモリへデータの書き込みを中止することにより、メモリへのデータの書き込み中の主電源スイッチをＯＦＦすることによるデータ及びメモリの破壊が確実に防止される。すなわち、主電源スイッチをＯＦＦすることができてしまうが、主電源スイッチをＯＦＦしたときにはすでにメモリへの書き込みを終了しているため、問題が発生しない。
【発明を実施するための最良の形態】
【００２７】
＜実施の形態１＞
本発明の一実施の形態について図を参照して説明する。
図１は、本発明に係る画像処理装置の一実施の形態を示す概念図である。
本画像処理装置１００は、主電源スイッチ１０２へのユーザーの手１０３の接近を検知するセンサ１０４と、メモリ１０５へのデータの書き込み中に、センサ１０４が手１０３の接近を検知すると、メモリ１０５への書き込みを中止する制御手段としてのＣＰＵ(Central Processing Unit)１０６とを備えている。
【００２８】
主電源スイッチ１０２は、例えば双極双投型のロッカスイッチが挙げられるが、プッシュスイッチもしくはトグルスイッチを用いてもよい。
センサ１０４としては、例えば反射型フォトインタラプタが挙げられるが、超音波センサもしくは赤外線センサを用いてもよい。
メモリ１０５としては、例えばＨＤＤ(Hard Disc Drive)やフラッシュメモリ等の不揮発性メモリが挙げられるが、本発明は揮発性メモリに適用できる。
画像処理装置としては、例えば、複写機が挙げられるが、ファクシミリ装置、スキャナー、スキャナプリンターであってもよい。
【００２９】
本実施形態によれば、主電源がＯＦＦされようとしていることを、主電源がＯＦＦされる前に検知し、メモリへの書き込みを中止することによって、書き込みデータが保証されない問題や、メモリの物理的な故障を防ぐことができる
【００３０】
＜実施の形態２＞
本発明の他の実施の形態について図２を参照して説明する。
図２は、本発明に係る画像処理装置の他の実施の形態を示すブロック図である。
本画像処理装置は、主電源ＰＳＵ(Power Supply Unit)１１０をＯＮ／ＯＦＦする主電源スイッチ１０２と、主電源スイッチ１０２への手（図示せず）の接近を検知するセンサ１０４と、データを記憶するメモリ１０５と、メモリ１０５へのデータの書き込みを制御する制御手段としてのＣＰＵ１０６とを有し、ＣＰＵ１０６は、データの書き込み中に、センサ１０４が主電源スイッチ１０２への手の接近を検知すると、データの書き込みを中止するように制御するようになっている。
【００３１】
ＰＳＵ１１０は例えばＡＣ電力を所定の電圧のＤＣ出力に変換するスイッチングレギュレータが用いられる。
ＮＶ(Non Volatile)ＲＡＭ１１１は内蔵電池によりデータをバックアップするメモリであり、ＢＩＯＳ（Basic  Input  Output  System）に相当するデータやネットワークインターフェースに関するデータを記憶するメモリである。
ＲＯＭ(Read Only Memory：読み出し専用メモリ)１１２は、画像処理装置の動作プログラムを記憶するメモリである。
ＡＳＩＣ(Application  Specific  Integrated  Circuit：特定用途向け集積回路)１０８はＣＰＵ１０６の指示に従って画像処理装置本体を統括制御する。
ワークメモリ１１４は、必要な情報を「一時的に保持」し「操作する」機能を有するメモリである。
フレームメモリ１１５は画像データを記憶する機能を有するメモリである。
【００３２】
本実施形態によれば、主電源がＯＦＦされようとしていることを、主電源がＯＦＦされる前に検知し、メモリへの書き込みを中止することによって、書き込みデータが保証されない問題や、メモリの物理的な故障を防ぐことができる
【００３３】
＜実施の形態３＞
本発明に係る画像処理装置の他の実施の形態について説明する。
本画像処理装置は、実施形態１、２に示した画像処理装置において、ＣＰＵは、センサが手の接近を検知してデータの書き込みを中止した後に手の離反を検知すると、データの書き込みを再開するように制御するものである。
【００３４】
本実施形態によれば、センサが手の離反を検知すると、データの書き込みを再開することにより、再度データ書き込みの操作の必要がなく、効率的に画像処理を行うことができる。
【００３５】
＜実施の形態４＞
画像処理装置の前面からユーザーの手が進入してくることが予想されるため、画像処理装置の前面にセンサを設け、後面もしくは側面に主電源スイッチを設置することが一例として挙げられる。
そこで、本発明に係る画像処理装置の他の実施の形態について図３（ａ）、（ｂ）を参照して説明する。
図３（ａ）は、本発明に係る画像処理装置のユーザーがアクセスする面にセンサが設置され、画像処理装置の後面に主電源スイッチが設置された状態を示す図であり、図３（ｂ）は本発明に係る画像処理装置のユーザーがアクセスする面にセンサが設置され、画像処理装置の側面に主電源スイッチが設置された状態を示す図である。
ここで、ユーザーがアクセスする面とは画像処理装置１００の前面であり、アクセスする面以外の面とは、画像処理装置１００の右側面、左側面、及び後面（背面）である。
【００３６】
本図３（ａ）、（ｂ）に示す実施の形態によれば、ユーザーが主電源をＯＦＦする目的で画像処理装置１００に近づいたときには、メモリ１０５への書き込みを中止する。
また、ユーザーが主電源をＯＦＦする以外の目的、例えば、通常どおり画像処理装置１００を操作する目的で画像処理装置１００に近づいたときには、メモリ１０５への書き込みを中止せず、画像処理装置１００が通常どおり動作できる。
【００３７】
＜実施の形態５＞
本発明に係る画像処理装置の他の実施の形態について説明する。
本画像処理装置は、実施の形態１から４のいずれかにおいて、ユーザーが画像処理装置の主電源スイッチをＯＦＦしようとしたときにユーザーの手が通る位置に、センサが設置されているものである。
【００３８】
本実施形態によれば、画像処理装置の主電源がＯＦＦされる前に、ユーザーが主電源ＯＦＦしようとしていることを検知することができる。この結果、メモリへのデータの書き込みの中止を確実に行うことができる。
【００３９】
＜実施の形態６＞
本発明に係る画像処理装置の他の実施の形態について図１を参照して説明する。
本画像処理装置は、実施の形態１から５のいずれかにおいて、センサ１０４が手１０３の接近を検知してからメモリ１０５への書き込みを中止するまでの時間に基づいて、主電源スイッチ１０２とセンサ１０４との間の距離ＬSが決定されているものである。
ここで、ユーザーの手が進入する速度を仮定すれば、主電源スイッチ１０２とセンサ１０４との間の距離ＬSによって手が接近したことを検知してから主電源スイッチ１０２がＯＦＦされるまでの時間を調整することができるので、画像処理装置がメモリ１０５への書き込みを正常に終了させるのに十分な時間に合わせて主電源スイッチ１０２とセンサ１０４との間の距離を決定することができる。
【００４０】
本実施形態によれば、ユーザーの手１０３の接近をセンサ１０４が検知してから、主電源がＯＦＦされるまでの時間を十分確保することができ、正常にメモリ１０４の書き込みを終了することができる。
【００４１】
＜実施の形態７＞
本発明に係る画像処理装置の他の実施の形態について図を参照して説明する。
図４は、本発明に係る画像処理装置を壁の近傍に設置した状態を示す概念図である。
本画像処理装置１００は、実施の形態１から３のいずれかにおいて、センサ１０４が検知可能となる距離ＬWの閾値を、ユーザーが任意に設定できるようにしたものである。
図４に示す画像処理装置１００はセンサ１０４が壁側を向いている場合にセンサ１０４が検知可能な距離を適切に設定することにより、センサ１０４が壁は検知しないがそれよりも近いもの、例えばユーザーの手は検知できるようにすることができる。これを実現するためには、測距センサのような距離を認識できるセンサが必要である。
【００４２】
本実施形態によれば、センサ１０４が検知可能となる距離ＬWの閾値をユーザーが適切な値（図に示す距離では検知しないが、画像処理装置と壁との間にユーザーの手が入った時には検知するような値）に設定することで画像処理装置１を壁（もしくは他の装置）に接近して配置した場合に壁や他の装置を手と誤認するのが防止される。
【００４３】
ここで、画像処理装置について説明する。
図５は、図１に示した画像処理装置の破断図である。
図５において、１はベルト状像担持体たる可撓性のベルト状感光体である。感光体ベルト１は、回動ローラ２、３間に架設し、回動ローラ２の回転駆動により図中矢印Ａ方向（反時計方向）に搬送する。図中４は感光体ベルト１表面を均一に帯電する帯電手段たる帯電チャージャであり、図中５は静電像露光手段たるレーザー書き込み系ユニットである。また、図中６は後述するイエロー、マゼンタ、シアン、黒の現像剤（トナー）を有する４つの現像器を一体的に形成したカラー現像装置である。
【００４４】
図中１０は中間転写体たる中間転写ベルトである。中間転写ベルト１０は、回動ローラ１１、１２の間に架設し、回動ローラ１１の回転駆動により図中矢印Ｂ方向（時計方向）に搬送する。感光体ベルト１と中間転写ベルト１０とは、感光体ベルト１の回動ローラ３部で接触している。この接触部の中間転写ベルト１０側には、導電性を有するバイアスローラ１３が中間転写ベルト１０裏面に所定の条件で接触している。
図（画像処理装置の側面）には主電源スイッチ１０２、センサ１０４、及びメモリ１０５が示されている。
【００４５】
図示のカラー画像形成装置の画像形成動作について説明する。
感光体ベルト１は帯電チャージャ４により一様に帯電させた後、レーザー光学装置５により画像情報に基づき走査露光して表面に静電潜像を形成する。
ここで、露光する画像情報は所望のフルカラー画像をイエロー、シアン、マゼンタ、及び黒の色情報に分解した単色の画像情報である。この情報により半導体レーザー（図示せず）で発生させたレーザービームＬを、図示を省略した光学装置により光路調整して走査して静電潜像を形成し、後述する回転型現像装置６により各々所定のイエロー、シアン、マゼンタ及び黒トナーで各々単色現像し、感光体ベルト１上に各々の色画像を順次形成する。
【００４６】
図中矢印Ａ方向に回転する感光体ベルト１上に形成した各単色画像像は、感光体ベルト１と同期して図中矢印Ｂ方向に回転する中間転写ベルト１０上に、イエロー、シアン、マゼンタ、及び黒の単色毎に、バイアスローラ１３に印加した所定の転写バイアスにより順次重ねて転写する。中間転写ベルト１０上に重ね合わせたイエロー、シアン、マゼンタ、及び黒の画像は、給紙台（給紙カセット）１７から給紙ローラ１８、搬送ローラ対１９ａ、１９ｂ、レジストローラ対２０ａ、２０ｂを経て転写部へ搬送した転写紙１７ａ上に転写ローラ１４により一括転写する。転写終了後、転写紙１７ａは定着装置８０により画像定着を受け、これでフルカラー画像が完成し、排紙ローラ対８１ａ、８１ｂを経て排紙スタック部８２に画像をプリントした転写紙１７ａを排出する。
【００４７】
なお、図中１５は廃棄トナー回収装置で、感光体ベルト１に常時当接し、感光体ベルト１上のトナーをクリーニングするクリーニングブレード１５ａを含む。１５ｃは廃棄トナー回収容器である。
【００４８】
図中１６は、中間転写ベルト１０のクリーニング装置である。クリーニング装置１６のクリーニングブレード１６ａは、画像形成動作中には中間転写ベルト１０表面から離間した位置に保持し、形成像を転写紙１７ａ上に転写した後に中間転写ベルト１０の表面に当接する。中間転写ベルト１０上よりクリーニングブレード１６ａによって掻き取った廃棄トナーは、クリーニング装置１６内に設けたオーガ１６ｂにより、図の紙面手前方向に搬送し、さらにプロセスカートリッジ３１の図の紙面で手前側面に設ける図示を省略した搬送部により廃棄トナー回収容器１５ｃへ搬送する。
【００４９】
感光体ベルト１、帯電チャージャ４、中間転写ベルト１０、クリーニング装置１５、１６は、プロセスカートリッジ３１として一体的に構成してある。廃棄トナー回収用器１５ｃは、プロセスカートリッジ３１に対して交換可能に組み込んである。このため、廃棄トナー回収用器１５ｃ内に収容した廃棄トナーが所定量以上となった時点でプロセスカートリッジ３１から外して交換することにより、プロセスカートリッジ３１の長寿命化を図り得る。またプロセスカートリッジ３１のレジストローラ２０ｂ側のケース外装部分は、用紙搬送ガイドとしての機能も備えている。
【００５０】
図５の画像形成装置本体構造としては、不動部筐体である本体フレーム９部と、転写紙１７ａの搬送経路が解放可能な前部筐体たる前フレーム８によって構成してあり、本体フレーム９の下部に給紙カセット１７を配置し、本体内部にカラー現像装置６、プロセスカートリッジ３１を交換可能に配置し、さらにその上方に定着装置８０を配置し、本体上部には排紙スタック部８２を設けてある。
【００５１】
前フレーム８は、本体フレーム９に設けた回転支持軸を中心に開閉回動可能に支持し、通常は図５に示すように本体フレーム９に対し閉じた状態で保持する。そして、転写紙１７ａの搬送経路内で転写紙１７ａのつまり（ジャム）が発生した場合には、前フレーム８の図示しないロック機構を解除して前フレーム８を解放する。前フレーム８には、転写紙搬送経路の一部を構成する搬送ローラ１９ａ、レジストローラ２０ａ、転写ローラ１４等が保持されており、前フレーム８を解放することによって転写紙搬送経路が露出し、容易にジャム処理を行える。この際、他の作像系ユニットは不動であり、トナーの飛散や、漏洩等による不具合は発生しないようになっている。
【００５２】
＜実施の形態８＞
本発明に係る画像処理装置のメモリ保護方法の一実施の形態について説明する。
本メモリ保護方法は、メモリへのデータの書き込み中に、主電源スイッチへの手の接近を検知すると、データの書き込みを中止するものである。
【００５３】
図６は、本発明に係る画像処理装置のメモリ保護方法のフローチャートの一例である。
このフローチャートは書き込み要求が発生したときのフローチャートを示すものである。
ＣＰＵは、書き込み要求が発生すると（ステップＳ１１）、書き込み禁止フラグが１か否かを判断する（ステップＳ１２）。
ＣＰＵは、書き込み禁止フラグが１である場合（ステップＳ１２／ＹＥＳ）には一定期間経過後に再度書き込み禁止フラグを読む（ステップＳ１３）。
ＣＰＵは、書き込み禁止フラグが１でない場合（ステップＳ１２／ＮＯ）には書き込み中フラグに１をセットして書き込み中であることを表示する（ステップＳ１４）。
メモリは書き込みを開始する（ステップＳ１５）。
メモリは書き込みを終了する（ステップＳ１６）。
ＣＰＵは、メモリへのデータの書き込み中フラグに０をセットする（ステップＳ１７）。
メモリへのデータの書き込みが終了する（ステップＳ１８）。
尚、図６に示したフローチャートはユーザーが主電源スイッチをＯＦＦにした場合であるが、ユーザーが主電源スイッチをＯＦＦにしなくても同様である。
【００５４】
＜実施の形態９＞
図７は、本発明に係る画像処理装置のメモリ保護方法のフローチャートの他の一例である。
このフローチャートは、主電源スイッチにユーザーの手が接近したことをセンサが検知したときのフローチャートを示すものである。
ここでは、書き込み中であることを表す書き込み中フラグと、書き込み禁止期間であることを表す書き込み禁止フラグとを利用した。
画像処理装置の主電源スイッチにユーザーの手が接近すると、センサによりユーザーの手が接近したことを検知する信号をアサートする（ステップＳ２１）。
ＣＰＵは、書き込み中フラグが１か否かを判断し（ステップＳ２２）、書き込み中フラグが１であると判断した場合（ステップＳ２２／ＹＥＳ）、書き込み中止命令をメモリに送る（ステップＳ２３）。
メモリは、データの書き込み動作を終了する（ステップＳ２４）。
ＣＰＵは、メモリへのデータ書き込み中にフラグに０をセットする（ステップＳ２５）。
ＣＰＵは、書き込み禁止フラグに１をセットする（ステップＳ２６）。
書き込み中フラグが１ではない場合（ステップＳ２２／ＮＯ）、ステップＳ２６にて書き込み禁止フラグに１をセットする。
処理が終了する（ステップＳ２７）。
【００５５】
＜実施の形態１０＞
図８は、本発明に係る画像処理装置のメモリ保護方法のフローチャートの他の一例である。
このフローチャートは、主電源スイッチにユーザーの手が接近したことをセンサが検知したときのフローチャートを示すものである。図７に示したフローチャートとの相違点は書き込み中フラグに１をセットする処理を追加した点である。
画像処理装置の主電源スイッチにユーザーの手が接近すると、センサによりユーザーの手が接近したことを検知する信号をアサートする（ステップＳ３１）。
ＣＰＵは、書き込み中フラグが１か否かを判断し（ステップＳ３２）、書き込み中フラグが１であると判断した場合（ステップＳ３２／ＹＥＳ）、書き込み中止命令をメモリに送る（ステップＳ３３）。
メモリは、データの書き込み動作を終了する（ステップＳ３４）。
ＣＰＵは、メモリへのデータ書き込み中にフラグに０をセットする（ステップＳ３５）。
ＣＰＵは、書き込み中フラグに１をセットする（ステップＳ３６）。
ＣＰＵは、書き込み禁止フラグに１をセットする（ステップＳ３７）。
書き込み中フラグが１ではない場合（ステップＳ３２／ＮＯ）、ステップＳ３７にて書き込み禁止フラグに１をセットする。
処理が終了する（ステップＳ３８）。
【００５６】
＜実施の形態１１＞
図９は、本発明に係る画像処理装置のメモリ保護方法のフローチャートの他の一例である。
このフローチャートは、主電源スイッチからユーザーの手が離反したことをセンサが検知したときのフローチャートを示すものである。
すなわち、主電源スイッチへの手の接近を検知してデータの書き込みを中止した後にユーザーの手の離反を検知すると、データの書き込みを再開するものである。
ここでは書き込み中フラグ、書き込み禁止フラグに加え、前回書き込みを中段したか否かを表す書き込み中断フラグを利用して実現したものである。
【００５７】
画像処理装置の主電源スイッチにユーザーの手が接近したことを検知する信号をネゲートする（ステップＳ４１）。
ＣＰＵは、書き込み中フラグが１か否かを判断し（ステップＳ４２）、書き込み中フラグが１であると判断した場合（ステップＳ４２／ＹＥＳ）、書き込み中フラグに１をセットする（ステップＳ４３）。
ＣＰＵはメモリに書き込み再開命令を出す（ステップＳ４４）。
メモリは書き込みを終了する（ステップＳ４５）。
ＣＰＵは、メモリへのデータ書き込み中にフラグに０をセットする（ステップＳ４６）。
ＣＰＵは、書き込み中断フラグに０をセットする（ステップＳ４７）。
CPUは、書き込み禁止フラグに１をセットし（ステップＳ３７）、処理を終了する（ステップＳ４８）。
書き込み中フラグが１ではない場合（ステップＳ４２／ＮＯ）、処理を終了する。
【００５８】
＜実施の形態１２＞
本発明に係る画像処理装置のメモリ保護プログラムの一実施の形態について述べる。
本プログラムは、コンピュータに、画像処理装置の主電源をＯＮ／ＯＦＦする主電源スイッチへの手の接近をセンサが検知する処理、メモリがデータを書き込む処理、メモリによるデータの書き込み中に、センサがユーザーの手の接近を検知すると、データの書き込みを中止する処理、を実行させるものである。
【００５９】
このようなプログラムを実行することにより、メモリへのデータの書き込み中の主電源スイッチのＯＦＦによるデータ及びメモリの破壊が確実に防止される。
【００６０】
＜実施の形態１３＞
本発明に係る画像形成装置のメモリ保護プログラムの他の実施の形態について述べる。
本プログラムは、実施の形態１２において、コンピュータに、センサが主電源スイッチへの手の接近を検知してデータの書き込みを中止した後、センサがユーザーの手の離反を検知すると、データの書き込みを再開する処理を実行させるものである。
【００６１】
このようなプログラムを実行することにより、メモリへのデータの書き込み中の主電源スイッチのＯＦＦによるデータ及びメモリの破壊が確実に防止される。
【００６２】
＜実施の形態１４＞
本発明に係る記録媒体の一実施の形態は、実施の形態１２または実施の形態１３のプログラムを記録した記録媒体である。
【００６３】
＜プログラム及び記憶媒体＞
以上で説明した本発明の画像処理装置は、コンピュータで画像処理装置のメモリ保護処理を実行させるプログラムによって実現されている。コンピュータとしては、例えばパーソナルコンピュータやワークステーションなどの汎用的なものが挙げられるが、本発明はこれに限定されるものではない。
これにより、プログラムが実行可能なコンピュータ環境さえあれば、どこにおいても本発明の画像処理装置を実現することができる。
【００６４】
このようなプログラムは、コンピュータに読み取り可能な記憶媒体に記憶されていてもよい。
ここで、記憶媒体としては、例えば、ＣＤ−ＲＯＭ(Compact Disc Read Only Memory)、フレキシブルディスク（ＦＤ）、ＣＤ−Ｒ(CD Recordable)、ＤＶＤ(Digital Versatile Disk)などのコンピュータで読み取り可能な記憶媒体、ＨＤＤ(Hard Disc Drive)、フラッシュメモリ、ＲＡＭ(Random Access Memory)、ＲＯＭ(Read Only Memory)、ＦｅＲＡＭ(強誘電体メモリ)等の半導体メモリが挙げられる。
【００６５】
なお、上述した実施の形態は、本発明の好適な実施の形態の一例を示すものであり、本発明はそれに限定されることなく、その要旨を逸脱しない範囲内において、種々変形実施が可能である。
【産業上の利用可能性】
【００６６】
本発明は、ＭＦＰ(Multi Function Peripherals：高付加価値なデジタル複合機)やプリンタ等の画像処理装置に利用できる。
【図面の簡単な説明】
【００６７】
【図１】本発明に係る画像処理装置の一実施の形態を示す概念図である。
【図２】本発明に係る画像処理装置の他の実施の形態を示すブロック図である。
【図３】（ａ）は、本発明に係る画像処理装置のユーザーがアクセスする面にセンサが設置され、画像処理装置の後面に主電源スイッチが設置された状態を示す図であり、（ｂ）は本発明に係る画像処理装置のユーザーがアクセスする面にセンサが設置され、画像処理装置の側面に主電源スイッチが設置された状態を示す図である。
【図４】本発明に係る画像処理装置を壁の近傍に設置した状態を示す概念図である。
【図５】図１に示した画像処理装置の破断図である。
【図６】本発明に係る画像処理装置のメモリ保護方法のフローチャートの一例である。
【図７】本発明に係る画像処理装置のメモリ保護方法のフローチャートの他の一例である。
【図８】本発明に係る画像処理装置のメモリ保護方法のフローチャートの他の一例である。
【図９】本発明に係る画像処理装置のメモリ保護方法のフローチャートの他の一例である。
【符号の説明】
【００６８】
１００    画像処理装置
１０２    主電源スイッチ
１０３    手
１０４    センサ
１０５    メモリ（ＨＤＤ）
１０６    ＣＰＵ
１０８    ＡＳＩＣ
１１０    ＰＳＵ
１１１    ＮＶ−ＲＡＭ
１１２    ＲＯＭ
１１４    ワークメモリ
１１５    フレームメモリ
【図１】
2009093408.tif 000003
【図２】
2009093408.tif 000004
【図３】
2009093408.tif 000005
【図４】
2009093408.tif 000006
【図５】
2009093408.tif 000007
【図６】
2009093408.tif 000008
【図７】
2009093408.tif 000009
【図８】
2009093408.tif 000010
【図９】
2009093408.tif 000011